(57)【要約】【課題】組立作業が容易で、かつ大きさの異なる物品を安定して収容できる梱包用仕切材を提供する。【解決手段】板状の部材が折り曲げられて、上下方向に延びる折曲縁１１が形成されると共に対向する第一の板部１２と第二の板部１４とが設けられ、前記第一の板部１２の下端１３には、前記第二の板部１４から離れる方向に延びる第一の脚部２０が延設され、前記第二の板部１４の下端１５には、前記第一の板部１２から離れる方向に延びる第二の脚部３０が延設され、前記第一の板部１２の下端１３は、前記第二の板部１４の下端１５よりも上方に位置することよりなる。【選択図】図１
2015209227.tif 000002
【特許請求の範囲】
【請求項１】
板状の部材が折り曲げられて、上下方向に延びる折曲縁が形成されると共に対向する第一の板部と第二の板部とが設けられ、
前記第一の板部の下端には、前記第二の板部から離れる方向に延びる第一の脚部が延設され、前記第二の板部の下端には、前記第一の板部から離れる方向に延びる第二の脚部が延設され、
前記第一の板部の下端は、前記第二の板部の下端よりも上方に位置することを特徴とする、梱包用仕切材。
【発明の詳細な説明】
【技術分野】
【０００１】
本発明は、梱包用仕切材に関する。
【背景技術】
【０００２】
輸送用の包装箱に物品を収容する際、包装箱内に梱包用仕切材を設けて、流通過程で物品が所定の位置から移動したり、物品同士が接触して破損するのを防止している。
例えば、特許文献１には、収容されるべき物品の寸法に応じた間隔をもって設けられる１以上の仕切壁をもつものであって、仕切壁基盤の上下について左右交互の位置に台紙を切り込んで上下２枚又はそれ以上の枚数の壁面を連結部により離隔して形成し、その壁面から突出した係止片部分において相互に係止状にすることにより仕切壁を構成した箱用中仕切切台紙が開示されている。特許文献１の発明によれば、包装箱が動揺した際に、仕切壁が倒れたりせず、物品を整然と収容した状態を維持することが図られている。
また、例えば、特許文献２には、複数個の物品載置板部を備え、隣接する２個の物品載置板部間には、一対の第１立上り板部及び第２立上り板部からなる仕切り板部が形成され、第１立上り板部及び第２立上り板部の端縁には、それぞれ第１折目及び第２折目を介して第１折込み片部及び第２折込み片部が連設され、第１折込み片部と第２折込み片部とが互いに第３折目を介して連結され、第１折込み片部及び第２折込み片部が、それぞれ第１折目及び第２折目から折り曲げられると共に互いに第３折目から折り曲げられた状態で、両立上り板部間に折り込まれた包装容器が開示されている。特許文献２の発明によれば、仕切り板部の自立性が高められている。
【０００３】
特許文献１〜２に記載された発明は、梱包用仕切材の自立性を高められるものの、大きさの異なる物品を収容することを想定していない。
例えば、太さが異なる複数の物品を１つの包装箱に収容する場合には、図９に示す梱包用仕切材９００のように、板状の部材を複雑に折り曲げて、収容される物品に応じた収容部を形成する必要がある。
【先行技術文献】
【特許文献】
【０００４】
【特許文献１】実公昭６３−３５９４８号公報
【特許文献２】登録実用新案第３０８１９８５号公報
【発明の概要】
【発明が解決しようとする課題】
【０００５】
しかしながら、梱包用仕切材９００は、収容される物品に対して梱包用仕切材の部材量が多く、経済的に不利である。
加えて、特許文献１〜２の発明や梱包用仕切材９００は、これを組み立てるのが煩雑である。
さらに、特許文献１〜２の発明や梱包用仕切材９００を用いて、高さが異なる複数の物品を１つの包装箱に収容しようとすると、高さの低い物品の上方の空間が大きくなり、高さの低い物品が包装箱内で不安定になる。
そこで、本発明は、組立作業が容易で、かつ大きさの異なる物品を安定して収容できる梱包用仕切材を目的とする。
【課題を解決するための手段】
【０００６】
本発明の梱包用仕切材は、板状の部材が折り曲げられて、上下方向に延びる折曲縁が形成されると共に対向する第一の板部と第二の板部とが設けられ、前記第一の板部の下端には、前記第二の板部から離れる方向に延びる第一の脚部が延設され、前記第二の板部の下端には、前記第一の板部から離れる方向に延びる第二の脚部が延設され、前記第一の板部の下端は、前記第二の板部の下端よりも上方に位置することを特徴とする。
【発明の効果】
【０００７】
本発明の梱包用仕切材によれば、組立作業が容易で、かつ大きさの異なる物品を安定して収容できる。
【図面の簡単な説明】
【０００８】
【図１】本発明の第一の実施形態にかかる梱包用仕切材の斜視図である。
【図２】本発明の第一の実施形態にかかる梱包用仕切材のブランクの平面図である。
【図３】本発明の第一の実施形態にかかる梱包用仕切材を包装箱に収容した状態を示す斜視図である。
【図４】本発明の第一の実施形態にかかる梱包用仕切材を用いた梱包体の斜視図である。
【図５】梱包用仕切材の比較例を示す斜視図である。
【図６】本発明の第二の実施形態にかかる梱包用仕切材の斜視図である。
【図７】本発明の第二の実施形態にかかる梱包用仕切材のブランクの平面図である。
【図８】本発明の第二の実施形態にかかる梱包用仕切材を用いた梱包体の斜視図である。
【図９】従来の仕切材の一例を示す斜視図である。
【発明を実施するための形態】
【０００９】
本発明の梱包用仕切材（以下、単に仕切材ということがある）は、複数の物品と共に包装箱に収容されて用いられる。以下、本発明の仕切材について、実施形態を挙げて説明する。
【００１０】
（第一の実施形態）
本発明の第一の実施形態にかかる仕切材について、以下に図面を参照して説明する。
図１の仕切材１は仕切本体１０と、仕切本体１０の下端に設けられた第一の脚部２０及び第二の脚部３０とを備える。
仕切本体１０は、板状の部材が折り曲げられて、上下方向に延びる折曲縁１１が形成されると共に対向する第一の板部１２と第二の板部１４とを備える。
第一の板部１２の下端１３には、第一の脚部２０が延設され、第二の板部１４の下端１５には、第二の脚部３０が延設されている。本実施形態において第一の板部１２の下端１３は、折曲縁１１の端部に位置し、第二の板部１４の下端１５は、折曲縁１１の端部から離れている。第一の脚部２０は第二の板部１４から離れる方向に延び、第二の脚部３０は、第一の板部１２から離れる方向に延びている。即ち、第一の脚部２０と第二の脚部３０とは、互いに離れる方向に延びている。
第一の板部１２の下端１３は、第二の板部１４の下端１５よりも上方に位置している。このため、第一の脚部２０と第二の脚部３０とは、上下方向の段差をもって設けられている。後述するように、第一の脚部２０と第二の脚部３０とに段差があることで、仕切本体１０は第一の板部１２方向に傾斜する。
【００１１】
仕切材１の大きさは、仕切材１が収容される包装箱の大きさ等に応じて適宜決定される。
第一の板部１２の下端１３と第二の板部１４の下端１５との距離（段差）Ｄ１は、包装箱に収容される物品の大きさ等を勘案して適宜決定される。段差Ｄ１が小さすぎると、仕切本体１０の傾きが小さくなりすぎて、本発明の効果を奏しにくい。段差Ｄ１が大きすぎると、下端１５の近傍で第二の板部１４が折れ曲がり、仕切本体１０の強度が低下するおそれがある。このため、段差Ｄ１は、１〜２０ｍｍが好ましい。
【００１２】
仕切材１は、例えば、図２のブランク１ａにより構成される。
ブランク１ａは、板状の部材である。ブランク１ａは、平面視長方形の第一の板部１２と、第一の板部１２の長手を形成する一方の辺から延設された平面視長方形の第二の板部１４とを備え、第一の板部１２と第二の板部１４との境界に山折線１１ａが形成されている。
本稿において長方形とは、頂部に曲線や直線の隅切が形成されたものや、各辺が曲線で形成されたものを含む概念である。
第一の板部１２の長手方向の一端には、平面視長方形の第一の脚部２０が延設され、第一の板部１２と第一の脚部２０との境界には谷折線１３ａが形成されている。第二の板部１４の長手方向の一端には、第一の脚部２０と同方向に延びる平面視長方形の第二の脚部３０が延設され、第二の板部１４と第二の脚部３０との境界には、谷折線１５ａが形成されている。谷折線１３ａと谷折線１５ａとは、山折線１１ａの延在方向にずれている。第一の脚部２０と第二の脚部３０との境界には、切込線２１が形成されている。
【００１３】
ブランク１ａの材質としては、折り曲げ加工が可能なものであればよく、仕切材１に求める強度等を勘案して決定できる。ブランク１ａの材質としては、例えば、紙類又は紙類の成形加工品である紙製の材料、ポリエチレン、ポリプロピレン、ポリエステル等の樹脂、アルミニウム等の金属、紙製の材料に樹脂層又は金属層を設けた積層物等が挙げられる。
【００１４】
紙類は、ＪＩＳ  Ｐ０００１で定義される「紙」の他、ＪＩＳ  Ｐ０００１で定義される「板紙」を含む概念である。また、紙製とは、紙類、紙類の成形加工品でありＪＩＳ  Ｚ０１０４で定義される「段ボール」を含む概念である。
【００１５】
ブランク１ａの材質としては、紙製の中でも、ライナー紙等の段ボール原紙、白板紙、色板紙等の紙器用板紙、防水原紙、紙管原紙等の雑板紙等の板紙、段ボールが好ましい。板紙、段ボールは、自立性を有し、成形が容易であり、軽量で、持ち運びに便利である。
ブランク１ａに用いられる材料の厚さは、仕切材１に求める強度等を勘案して決定される。
【００１６】
本実施形態において、第一の脚部２０の長さＬ１は、第二の脚部３０の長さＬ２よりも短い。長さＬ１及び長さＬ２は、包装箱に収容される物品の大きさ等を勘案して適宜決定される。
第一の脚部２０の幅Ｗ１は、材質や包装箱の大きさ等を勘案して適宜決定される。第二の脚部３０の幅Ｗ２は、第一の脚部２０の幅Ｗ１と同様である。
第一の脚部２０の幅Ｗ１と第二の脚部３０の幅Ｗ２とは、同じでもよいし、異なってもよい。
【００１７】
第一の板部１２の長さｌ１は、材質や包装箱の大きさ等を勘案して適宜決定される。本実施形態において、第二の板部１４の長さｌ２は、第一の板部１２の長さｌ１よりも長い。
第一の板部１２の幅ｗ１は、材質や包装箱の大きさ等を勘案して適宜決定される。第二の板部１４の幅ｗ２は、第一の板部１２の幅ｗ１と同様である。第一の板部１２の幅ｗ１と第二の板部１４の幅ｗ２とは、同じでもよいし、異なってもよい。
本実施形態において、幅Ｗ１と幅ｗ１とは同等とされ、幅Ｗ２と幅ｗ２とは同等とされている。
【００１８】
ブランク１ａは、例えば、以下の手順で、図１の仕切材１とされる。
山折線１１ａでブランク１ａを山折りし、第一の板部１２と第二の板部１４とが対向した仕切本体１０を形成する。谷折線１３ａでブランク１ａを谷折りし、谷折線１５ａでブランク１ａを谷折りする。こうして、ブランク１ａから、仕切本体１０の下端に第一の脚部２０及び第二の脚部３０が設けられた仕切材１を得る。
【００１９】
次に、図３の梱包体２を作製する場合を例にして、仕切材１の使用方法を説明する。
図３の梱包体２は、包装箱５０内に、第一の物品６１と第二の物品６２とが仕切本体１０を介して隣り合って収容されたものである。梱包体２において、仕切本体１０は、第一の物品６１方向（即ち、第一の板部１２方向）に傾斜している。
本実施形態において、第一の物品６１は、第二の物品６２よりも高さが低く、かつ幅が狭いものである。
【００２０】
包装箱５０は、直方体であり、前板部５５には開口部５６が形成されている。開口部５６は、透光性を有するフィルムで覆われ、包装箱５０の内部が視認可能とされている。
前板部５５の上端には、上方に突出する上方板部５８が延設され、上方板部５８には、係止孔５９が形成されている。
包装箱５０の材質としては、包装箱５０に求められる強度等を勘案して適宜決定され、例えば、ブランク１ａと同様の材質が挙げられる。
【００２１】
第一の物品６１及び第二の物品６２を包装箱５０に収容する手順について、図４を参照して説明する。
図４は、包装箱５０内に仕切材１を収容した様子を模式的に表した斜視図であり、説明の便宜上、包装箱５０の詳細部の図示を省略し、包装箱５０を透過した状態で示されている。
【００２２】
図４に示す通り、第一の脚部２０及び第二の脚部３０が包装箱５０の底部５４に当接するように、仕切材１を包装箱５０に収容する。この段階において、第二の板部１４の下端１５は底部５４に当接し、第一の板部１２の下端１３は、底部５４と離間している。
仕切材１を包装箱５０内に収容すると、包装箱５０内は仕切本体１０により仕切られて、第一の収容部５１と第二の収容部５２とが形成される。
【００２３】
次いで、第二の収容部５２に第二の物品６２を収容し、第一の収容部５１に第一の物品６１を収容する。
第二の収容部５２に第二の物品６２を収容すると、第二の脚部３０が底部５４に押し付けられる。
第一の収容部５１に第一の物品６１を収容すると、第一の脚部２０が底部５４に押し付けられ、第一の板部１２の下端１３が底部５４方向（即ち、下方）に引っ張られる。下端１３が下方に引っ張られると、仕切本体１０は、Ｘ１方向に傾斜して、第一の物品６１を押さえ付けるように作用する。この際、第一の板部１２と第二の板部１４とは上下方向に延びる折曲縁１１を介して連結されているため、第一の板部１２と第二の板部１４とは、一体となってＸ１方向に付勢される。加えて、第一の脚部２０の幅又は第二の脚部３０の幅が包装箱５０の底部５４の幅よりも狭いか、第一の脚部２０の長さと第二の脚部３０の長さの合計が底部５４の長さより短かければ、折曲縁１１の反対側において第一の板部１２の端部と第二の板部１４の端部とが離れやすい。折曲縁１１の反対側において第一の板部１２の端部と第二の板部１４の端部とが離れると、仕切本体１０は、Ｘ１方向に向けてより強く付勢される。そして、仕切本体１０は、第一の物品６１方向に傾斜した姿勢を保ち、第一の物品６１の上方に緩衝材等を設けなくても、第一の物品６１の姿勢を包装箱５０内で安定にできる。
【００２４】
例えば、図５に示す仕切材８００のように、第一の脚部２０と第二の脚部３０とに段差が設けられていない場合、第一の脚部２０及び第二の脚部３０に物品を載せても、仕切本体１０は傾斜しない。加えて、仕切材８００は、傾斜しないため、いずれの方向にも付勢されず、その姿勢が不安定となる。
本実施形態によれば、第一の脚部２０と第二の脚部３０とが段差をもって設けられているため、物品と共に包装箱に収容されると、仕切本体１０が一方に傾斜し、物品を押さえ付ける。このため、仕切本体１０の姿勢は良好に保たれ、高さの異なる２つの物品を包装箱内に安定して収容できる。即ち、本実施形態によれば、大きさの異なる２つの物品を安定して収容できる。
さらに、本実施形態によれば、ブランク１ａを折り曲げるという簡単な作業で仕切材１を形成でき、包装箱５０へ容易に収容できる。
【００２５】
（第二の実施形態）
本発明の第二の実施形態にかかる仕切材は、第一の実施形態における仕切材１と、仕切材１の鏡像体である仕切材とが、第一の脚部の先端同士で連結されたものである。
本実施形態の仕切材について、以下に図面を参照して説明する。
図６の仕切材１００は、左仕切本体１１０ａと、右仕切本体１１０ｂと、第一の脚部１２０と、左第二の脚部１３０ａと、右第二の脚部１３０ｂと、を備える。即ち、本実施例の仕切材１００は、２つの仕切本体を備え、包装箱内に３つの収容部を形成できる。
左仕切本体１１０ａは、板状の部材が折り曲げられて、上下方向に延びる折曲縁１１１が形成されると共に対向する左第一の板部１１２ａと左第二の板部１１４ａとを備える。
左第一の板部１１２ａの下端１１３には、第一の脚部１２０が延設され、左第二の板部１１４ａの下端１１５には、左第二の脚部１３０ａが延設されている。第一の脚部１２０は、左第二の板部１１４ａから離れる方向に延び、左第二の脚部１３０ａは左第一の板部１１２ａから離れる方向に延びている。
右仕切本体１１０ｂは、板状の部材が折り曲げられて、上下方向に延びる折曲縁１１１が形成されると共に対向する右第一の板部１１２ｂと右第二の板部１１４ｂとを備える。右第一の板部１１２ｂの下端１１３には、第一の脚部１２０が延設され、第一の脚部１２０は右第二の板部１１４ｂから離れる方向に延びている。右第二の板部１１４ｂの下端１１５には、右第二の脚部１３０ｂが延設され、右第二の脚部１３０ｂは、右第一の板部１１２ｂから離れる方向に延びている。
本実施形態において、左仕切本体１１０ａと右仕切本体１１０ｂは、第一の脚部１２０を共有している。
【００２６】
左第一の板部１１２ａの下端１１３は、左第二の板部１１４ａの下端１１５よりも上方に位置し、右第一の板部１１２ｂの下端１１３は、右第二の板部１１４ｂの下端１１５よりも上方に位置している。このため、第一の脚部１２０と左第二の脚部１３０ａとは、上下方向の段差をもって設けられ、第一の脚部１２０と右第二の脚部１３０ｂとは、上下方向の段差をもって設けられている。
【００２７】
仕切材１００は、例えば、図７のブランク１００ａにより構成される。
ブランク１００ａは、板状の部材であり、平面視において一方を長手とする長方形である。
ブランク１００ａは、平面視長方形の左第一の板部１１２ａを備える。
左第一の板部１１２ａには、その長手を形成する一方の辺から、平面視長方形の左第二の板部１１４ａが延設されている。左第一の板部１１２ａと左第二の板部１１４ａとの境界には、山折線１１１ａが形成されている。
左第一の板部１１２ａには、その短手を形成する一方の辺から、平面視長方形の第一の脚部１２０が延設されている。左第一の板部１１２ａと第一の脚部１２０との境界には谷折線１１３ａが形成されている。
左第二の板部１１４ａには、第一の脚部１２０と同方向に延びる平面視長方形の左第二の脚部１３０ａが延設されている。左第二の板部１１４ａと左第二の脚部１３０ａとの境界には、谷折線１１５ａが形成されている。
第一の脚部１２０には、左第一の板部１１２ａと反対側に、平面視長方形の右第一の板部１１２ｂが延設されている。第一の脚部１２０と右第一の板部１１２ｂとの境界には、谷折線１１３ａが形成されている。
右第一の板部１１２ｂには、左第二の板部１１４ａと同方向に延びる平面視長方形の右第二の板部１１４ｂが延設されている。右第一の板部１１２ｂと右第二の板部１１４ｂとの境界には、山折線１１１ａが形成されている。
右第二の板部１１４ｂには、その短手を形成する一方の辺から左第二の脚部１３０ａに向かい、平面視長方形の右第二の脚部１３０ｂが延設されている。左第二の脚部１３０ａと右第二の脚部１３０ｂとの境界には、切込線１２１が形成されている。この切込線１２１は、２つの谷折線１１５ａと等距離に位置する。
左第二の脚部１３０ａと第一の脚部１２０との境界、及び右第二の脚部１３０ｂと第一の脚部１２０との境界には、切込線１３１が形成されている。
ブランク１００ａにおいて、谷折線１１５ａは、谷折線１１３ａよりも切込線１２１に近い位置に形成されている。
【００２８】
ブランク１００ａの材質は、第一の実施形態におけるブランク１ａと同様である。
【００２９】
ブランク１００ａは、例えば、以下の手順で、図６の仕切材１００とされる。
山折線１１１ａでブランク１００ａを山折りし、左仕切本体１１０ａ及び右仕切本体１１０ｂを形成する。谷折線１１３ａでブランク１００ａを谷折りし、谷折線１１５ａでブランク１００ａを谷折りにする。こうして、ブランク１００ａから、左仕切本体１１０ａと、右仕切本体１１０ｂと、第一の脚部１２０と、左第二の脚部１３０ａと、右第二の脚部１３０ｂとを備える仕切材１００を得る。
【００３０】
次に、図８の梱包体１０２を作製する場合を例にして、仕切材１００の使用方法を説明する。梱包体１０２を構成する包装箱５０は、第一の実施形態における包装箱５０と同じである。
図８の梱包体１０２は、包装箱５０内に、第一の物品１６１と第二の物品１６２と第三の物品１６３とが収容されたものである。梱包体１０２において、第一の物品１６１と第二の物品１６２とは、左仕切本体１１０ａを介して隣り合い、第二の物品１６２と第三の物品１６３とは、右仕切本体１１０ｂを介して隣り合っている。梱包体１０２において、左仕切本体１１０ａは、第二の物品１６２方向に傾斜し、右仕切本体１１０ｂは、第二の物品１６２方向に傾斜している。
本実施形態において、第二の物品１６２は、第一の物品１６１及び第三の物品１６３よりも高さが低く、かつ幅が狭いものである。
まず、包装箱５０内に仕切材１００を収容する。この際、左第二の脚部１３０ａ及び右第二の脚部１３０ｂが包装箱５０の底部に当接するようにする。
次いで、第一の脚部１２０に第二の物品１６２を載せ、左第二の脚部１３０ａに第一の物品１６１を載せ、右第二の脚部１３０ｂに第三の物品１６３を載せ、包装箱５０内に物品を収容する。第一の脚部１２０に第二の物品１６２を載せると、左第一の板部１１２ａの下端１１３が下方に引っ張られ、左仕切本体１１０ａはＸ２方向に傾斜する。また、第一の脚部１２０に物品を載せると、右第一の板部１１２ｂの下端１１３が下方に引っ張られ、右仕切本体１１０ｂはＸ３方向に傾斜する。即ち、左仕切本体１１０ａと右仕切本体１１０ｂとは互いに近づくように傾斜する。そして、傾斜した左仕切本体１１０ａ及び右仕切本体１１０ｂは、第一の脚部１２０に載せられた第二の物品１６２を押さえ付けるように作用する。このため、第一の脚部１２０に載せられた第二の物品１６２を安定して収容できる。
【００３１】
（その他の実施形態）
上述の実施形態では、１つの包装箱に１つの仕切材を収容している。しかしながら、本発明はこれに限定されず、包装箱に収容される仕切材の数は、包装箱に収容される物品の数に応じて適宜決定されればよい。
【００３２】
上述の実施形態では、第一の板部及び第二の板部が、ブランクにおいて平面視長方形とされている。しかしながら、本発明はこれに限定されず、第一の板部及び第二の板部の形状は、上下方向に延びる折曲縁が形成される形状であれば特に限定されない。
【００３３】
上述の実施形態では、第一の脚部及び第二の脚部が、ブランクにおいて平面視長方形とされているが、本発明はこれに限定されず、第一の脚部及び第二の脚部は、平面視長方形以外の形状でもよい。
【００３４】
上述の実施形態では、第一の板部の下端は、折曲縁の端部に位置しているが、本発明はこれに限定されず、第一の板部の下端が折曲縁から離れていてもよい。ただし、物品に対する仕切本体の押さえ付ける力を高め、物品の姿勢をより安定に保つ観点から、第一の板部の下端は、折曲縁の端部に位置するのが好ましい。
【００３５】
上述の実施形態では、第一の板部とこれに延設された第一の脚部とは、同じ幅とされているが、本発明はこれに限定されず、第一の板部と第一の脚部の幅は、相互に異なってもよい。
上述の実施形態では、第二の板部とこれに延設された第二の脚部とは、同じ幅とされているが、本発明はこれに限定されず、第二の板部と第二の脚部の幅は、相互に異なってもよい。
【００３６】
上述の実施形態では、第一の板部が第二の板部よりも短いが、本発明はこれに限定されず、第一の板部の下端が第二の板部の下端よりも上方に位置していれば、第一の板部と第二の板部とが同じ長さでもよいし、第一の板部が第二の板部よりも長くてもよい。
【００３７】
第一の実施形態では、第一の脚部が第二の脚部よりも短いが、本発明はこれに限定されず、第一の脚部が第二の脚部より長くてもよいし、第一の脚部と第二の脚部とが同じ長さでもよい。
【００３８】
第二の実施形態では、左仕切本体と右仕切本体とが互いに近づくように傾斜するが、本発明はこれに限定されない。
例えば、図７のブランク１００ａにおいて、谷折線１１５ａを谷折線１１３ａよりも切込線１２１から遠い位置に形成して、左仕切本体１１０ａと右仕切本体１１０ｂとが互いに離れる方向に傾斜するようにしてもよい。この場合、左第一の板部１１２ａは左仕切本体における第二の板部となり、左第二の板部１１４ａは左仕切本体における第一の板部となる。また、右第一の板部１１２ｂは右仕切本体における第二の板部となり、右第二の板部１１４ｂは右仕切本体における第一の板部となる。
あるいは、例えば、左第二の板部１１４ａと左第二の脚部１３０ａとの境界に位置する谷折線１１５ａを、左第一の板部１１２ａと第一の脚部１２０との境界に位置する谷折線１１３ａよりも、切込線１２１から遠い位置に形成して、左仕切本体１１０ａと右仕切本体１１０ｂとが同方向に傾斜するようにしてもよい。この場合、左第一の板部１１２ａは左仕切本体における第二の板部となり、左第二の板部１１４ａは左仕切本体における第一の板部となる。
【００３９】
第一の実施形態では、第一の物品が第二の物品よりも高さが低く、かつ幅が狭いものであるが、本発明はこれに限定されず、第一の物品が第二の物品よりも高さが低いか、又は幅が狭いものでもよい。
第二の実施形態では、第二の物品が第一の物品及び第三の物品よりも高さが低く、かつ幅が狭いものとされているが、本発明はこれに限定されず、第二の物品が第一の物品及び第三の物品よりも高さが低いか、又は幅が狭いものでもよい。
【符号の説明】
【００４０】
１、１００  仕切材
１０  仕切本体
１１、１１１  折曲縁
１２  第一の板部
１３、１５、１１３、１１５  下端
１４  第二の板部
２０、１２０  第一の脚部
３０  第二の脚部
１１０ａ  左仕切本体
１１０ｂ  右仕切本体
１１２ａ  左第一の板部
１１２ｂ  右第一の板部
１１４ａ  左第二の板部
１１４ｂ  右第二の板部
１３０ａ  左第二の脚部
１３０ｂ  右第二の脚部
【図１】
2015209227.tif 000003
【図２】
2015209227.tif 000004
【図３】
2015209227.tif 000005
【図４】
2015209227.tif 000006
【図５】
2015209227.tif 000007
【図６】
2015209227.tif 000008
【図７】
2015209227.tif 000009
【図８】
2015209227.tif 000010
【図９】
2015209227.tif 000011